(57)【要約】【課題】エンジンを用いた蓄電装置の充電の停止が要求される場合にユーザの意図に沿って作動中のエンジンの動作を制限する。【解決手段】ＥＣＵは、ＣＨＧモードの選択中に（Ｓ１００にてＹＥＳ）、ＳＯＣ回復スイッチに対してオフ操作が行なわれる場合（Ｓ１０２にてＹＥＳ）、制御モードとしてＣＤモードを選択するステップと、オフ操作が行なわれないまま（Ｓ１０２にてＮＯ）、バッテリの充電が完了する場合に（Ｓ１０６にてＹＥＳ）、制御モードとしてＣＳモードを選択するステップとを含む、制御処理を実行する。【選択図】図４
2015231796.tif 000002
【特許請求の範囲】
【請求項１】
車両に搭載されるエンジンと、
前記車両の駆動源となる回転電機と、
前記回転電機に電力を供給する蓄電装置と、
前記エンジンの動力を用いて前記蓄電装置を充電するための電力を発電する発電装置と、
前記発電装置を用いて前記蓄電装置の蓄電量を上限値まで増加させる回復制御の実行または停止を要求する場合にユーザが操作する操作装置と、
前記蓄電量の低下を抑制するＣＳ（Charge  Sustaining）モードと、前記蓄電装置の電力を消費するＣＤ（Charge  Depleting）モードとを含む複数の制御モードのうちのいずれかを選択し、選択された制御モードに応じて前記車両を制御する制御装置とを備え、
前記制御装置は、前記回復制御の実行中に前記操作装置を用いて前記回復制御の停止が要求される場合には、前記ＣＤモードを選択する、ハイブリッド車両。
【請求項２】
前記制御装置は、前記回復制御の実行により前記蓄電量が前記上限値に到達する場合に、前記ＣＳモードを選択する、請求項１に記載のハイブリッド車両。
【請求項３】
前記制御装置は、前記回復制御の実行により前記蓄電量が前記上限値に到達した後に、前記操作装置を用いて前記回復制御の停止が要求される場合には、前記ＣＳモードを選択する、請求項１に記載のハイブリッド車両。
【請求項４】
前記制御装置は、前記回復制御の実行中に前記蓄電量が前記上限値に到達する場合であって、かつ、前記車両に異常がある場合には、異常箇所に応じて前記ＣＳモードと前記ＣＤモードとのうちのいずれかを選択する、請求項１に記載のハイブリッド車両。
【発明の詳細な説明】
【技術分野】
【０００１】
本発明は、駆動用電動機と、駆動用電動機に電力を供給する蓄電装置と、蓄電装置を充電するために動作するエンジンとを搭載するハイブリッド車両の制御に関する。
【背景技術】
【０００２】
特開２０１１−０９３３３５号公報（特許文献１）は、蓄電装置の蓄電量を増加させるためのユーザからの充電要求が検知されたときに、蓄電装置の充電が促進されるように、充電要求の非検知時と比較してエンジンの出力を増加させるハイブリッド車両が開示される。
【先行技術文献】
【特許文献】
【０００３】
【特許文献１】特開２０１１−０９３３３５号公報
【特許文献２】ＷＯ２０１０／１４３２８１号
【発明の概要】
【発明が解決しようとする課題】
【０００４】
ユーザからの充電要求に応じてエンジンを動作させて蓄電装置を充電する場合に、ユーザが作動中のエンジンの動作を制限することを意図して、ユーザが所定の操作装置を操作するなどして蓄電装置の充電を停止することを要求する場合がある。
【０００５】
しかしながら、蓄電装置の充電を停止しても、車両の状態に応じてエンジンの動作が継続する場合には、ユーザが意図するエンジンの動作の制限を実施できない場合がある。
【０００６】
本発明は、上述した課題を解決するためになされたものであって、その目的は、エンジンを用いた蓄電装置の充電の停止が要求される場合にユーザの意図に沿って作動中のエンジンの動作を制限するハイブリッド車両を提供することである。
【課題を解決するための手段】
【０００７】
この発明のある局面に係る車両は、車両に搭載されるエンジンと、車両の駆動源となる回転電機と、回転電機に電力を供給する蓄電装置と、エンジンの動力を用いて蓄電装置を充電するための電力を発電する発電装置と、発電装置を用いて蓄電装置の蓄電量を上限値まで増加させる回復制御の実行または停止を要求する場合にユーザが操作する操作装置と、蓄電量の低下を抑制するＣＳ（Charge  Sustaining）モードと、蓄電装置の電力を消費するＣＤ（Charge  Depleting）モードとを含む複数の制御モードのうちのいずれかを選択し、選択された制御モードに応じて車両を制御する制御装置とを備える。制御装置は、回復制御の実行中に操作装置を用いて回復制御の停止が要求される場合には、ＣＤモードを選択する。
【０００８】
このようにすると、回復制御の実行中に、操作装置を用いて回復制御の停止が要求される場合に、蓄電装置の電力が消費されるＣＤモードが選択されるので、エンジンを停止した状態で走行するＥＶ（Electric  Vehicle）走行が優先され、エンジンの動力を用いた蓄電装置の充電が抑制される。そのため、ＣＳモードが選択される場合よりもエンジンの動作を制限（たとえば、エンジンの動作を停止させ、停止状態を維持）することができる。これにより、ユーザの意図に沿ってエンジンの動作を制限することができる。
【０００９】
好ましくは、制御装置は、回復制御の実行により蓄電量が上限値に到達する場合に、ＣＳモードを選択する。
【００１０】
このようにすると、回復制御の実行中に蓄電量が上限値に到達する場合に、ＣＳモードが選択されるので、蓄電量を上限値付近で維持することができる。これによりユーザが希望するタイミングで蓄電装置の電力を利用することが可能となる。
【００１１】
さらに好ましくは、制御装置は、回復制御の実行により蓄電量が上限値に到達した後に、操作装置を用いて回復制御の停止が要求される場合には、ＣＳモードを選択する。
【００１２】
このようにすると、回復制御の実行中に蓄電量が上限値に到達した後に、操作装置を用いて回復制御の停止が要求される場合には、ＣＳモードが選択されるので、蓄電量を上限値付近で維持することができる。そのため、ユーザが希望するタイミングで蓄電装置の電力を利用することが可能となる。
【００１３】
さらに好ましくは、制御装置は、回復制御の実行中に蓄電量が上限値に到達する場合であって、かつ、車両に異常がある場合には、異常箇所に応じてＣＳモードとＣＤモードとのうちのいずれかを選択する。
【００１４】
このようにすると、たとえば、蓄電装置の放電ができない異常（たとえば、回転電機や蓄電装置の故障）が発生した場合には、エンジンの動作頻度の高いＣＳモードを選択したり、蓄電装置の充電ができない異常（たとえば、発電装置やエンジンの故障）が発生した場合には、蓄電装置の電力の消費（回転電機の動作）を優先してＣＤモードを選択したりすることで車両に異常が発生した場合に修理工場等までの自走が可能となる。そのため、異常箇所に応じて適切な制御モードを選択することができる。
【発明の効果】
【００１５】
この発明によると、回復制御の実行中に、操作装置を用いて回復制御の停止が要求される場合に、蓄電装置の電力が消費されるＣＤモードが選択されるので、エンジンの動力を用いた蓄電装置の充電が抑制される。そのため、ＣＳモードが選択される場合よりもエンジンの動作を制限することができる。したがって、エンジンを用いた蓄電装置の充電の停止が要求される場合にユーザの意図に沿って作動中のエンジンの動作を制限するハイブリッド車両を提供することができる。
【図面の簡単な説明】
【００１６】
【図１】車両の全体ブロック図である。
【図２】ＳＯＣ回復制御実行時のＳＯＣの変化の一例を説明するための図である。
【図３】ＥＣＵの機能ブロック図である。
【図４】ＥＣＵで実行される制御処理を示すフローチャートである。
【図５】ＥＣＵの動作を示すタイミングチャートである。
【発明を実施するための形態】
【００１７】
以下、図面を参照しつつ、本発明の実施の形態について説明する。以下の説明では、同一の部品には同一の符号が付されている。それらの名称および機能も同じである。したがってそれらについての詳細な説明は繰返されない。
【００１８】
図１を参照して、本実施の形態に係るハイブリッド車両１（以下、単に車両１と記載する）の全体ブロック図を説明する。車両１は、トランスミッション８と、エンジン１０と、駆動軸１７と、ＰＣＵ（Power  Control  Unit）６０と、バッテリ７０と、駆動輪７２と、充電装置７８と、ＳＯＣ回復スイッチ１５０と、アクセルペダル１６０と、ＥＣＵ（Electronic  Control  Unit）２００とを含む。
【００１９】
トランスミッション８は、出力軸１６と、第１モータジェネレータ（以下、第１ＭＧと記載する）２０と、第２モータジェネレータ（以下、第２ＭＧと記載する）３０と、動力分割装置４０と、減速機５８とを含む。
【００２０】
ＥＣＵ２００は、車輪速センサ１４と、電流センサ１５２と、電圧センサ１５４と、電池温度センサ１５６と、ペダルストロークセンサ１６２と等の各種センサから各種信号を受信する。
【００２１】
このような構成を有する車両１は、エンジン１０および第２ＭＧ３０のうちの少なくとも一方から出力される駆動力によって走行する。エンジン１０が発生する動力は、動力分割装置４０によって２経路に分割される。２経路のうちの一方の経路は減速機５８を介して駆動輪７２へ動力が伝達される経路であり、他方の経路は第１ＭＧ２０へ動力が伝達される経路である。
【００２２】
第１ＭＧ２０および第２ＭＧ３０は、たとえば、三相交流回転電機である。第１ＭＧ２０および第２ＭＧ３０は、ＰＣＵ６０によって駆動される。
【００２３】
第１ＭＧ２０は、動力分割装置４０によって分割されたエンジン１０の動力を用いて発電してＰＣＵ６０を経由してバッテリ７０を充電するジェネレータ（発電装置）としての機能を有する。また、第１ＭＧ２０は、バッテリ７０からの電力を受けてエンジン１０の出力軸であるクランク軸を回転させる。これによって、第１ＭＧ２０は、エンジン１０を始動するスタータとしての機能を有する。
【００２４】
第２ＭＧ３０は、バッテリ７０に蓄えられた電力および第１ＭＧ２０により発電された電力の少なくとも一方を用いて駆動輪７２に駆動力を与える駆動用モータとしての機能を有する。また、第２ＭＧ３０は、回生制動によって発電された電力を用いてＰＣＵ６０を経由してバッテリ７０を充電するためのジェネレータとしての機能を有する。
【００２５】
エンジン１０は、複数個（本実施の形態においては４個）の気筒１１２を含むガソリンエンジンであって、ＥＣＵ２００からの制御信号Ｓ１に基づいて制御される。エンジン１０としては、図１に示される形式に特に限定されるものではない。
【００２６】
このような構成を有するエンジン１０において、ＥＣＵ２００は、複数の気筒１１２の各々に対して適切な時期に適切な量の燃料を噴射したり、複数の気筒１１２への燃料の噴射を停止したりすることによって、複数の気筒１１２の各々の燃料噴射量を制御する。
【００２７】
動力分割装置４０は、エンジン１０の発生する動力を、出力軸１６を経由した駆動軸１７への経路と、第１ＭＧ２０への経路とに分割可能に構成される。動力分割装置４０としては、サンギヤ、プラネタリキャリアおよびリングギヤの３つの回転軸を有する遊星歯車機構を用いることができる。たとえば、第１ＭＧ２０のロータをサンギヤに接続し、エンジン１０の出力軸をプラネタリキャリアに接続し、かつ、出力軸１６をリングギヤに接続することによって、動力分割装置４０に、エンジン１０と第１ＭＧ２０と第２ＭＧ３０とを機械的に接続することができる。
【００２８】
第２ＭＧ３０のロータとも接続された出力軸１６は、減速機５８を経由して、駆動輪７２を回転駆動するための駆動軸１７と機械的に連結される。なお、第２ＭＧ３０の回転軸と出力軸１６との間に変速機をさらに組み込んでもよい。
【００２９】
ＰＣＵ６０は、バッテリ７０から供給される直流電力を交流電力に変換し、第１ＭＧ２０および第２ＭＧ３０を駆動する。また、ＰＣＵ６０は、第１ＭＧ２０および第２ＭＧ３０が発電した交流電力を直流電力に変換し、バッテリ７０を充電する。たとえば、ＰＣＵ６０は、直流／交流電力変換のためのインバータ（図示せず）と、インバータの直流リンク側とバッテリ７０との間で直流電圧変換を実行するためのコンバータ（図示せず）とを含むように構成される。
【００３０】
バッテリ７０は、蓄電装置であり、再充電可能な直流電源である。バッテリ７０としては、たとえば、ニッケル水素電池やリチウムイオン電池等の二次電池が用いられる。バッテリ７０の電圧は、たとえば２００Ｖ程度である。バッテリ７０は、上述したように第１ＭＧ２０および／または第２ＭＧ３０により発電された電力を用いて充電される他、後述する外部電源３０２から供給される電力を用いて充電されてもよい。なお、バッテリ７０は、二次電池に限らず、直流電圧を生成できるもの、たとえば、キャパシタ、太陽電池、燃料電池等であってもよい。
【００３１】
バッテリ７０には、電流センサ１５２と、電圧センサ１５４と、電池温度センサ１５６とが設けられる。電流センサ１５２は、バッテリ７０の電流ＩＢを検出して、検出結果を示す信号をＥＣＵ２００に送信する。電圧センサ１５４は、バッテリ７０の電圧ＶＢを検出して、検出結果を示す信号をＥＣＵ２００に送信する。電池温度センサ１５６は、バッテリ７０の電池温度ＴＢを検出して、検出結果を示す信号をＥＣＵ２００に送信する。
【００３２】
ＥＣＵ２００は、バッテリ７０の電流ＩＢと、電圧ＶＢと、電池温度ＴＢとに基づいてバッテリ７０の蓄電量（以下、ＳＯＣ（State  Of  Charge）と記載する）を推定する。ＥＣＵ２００は、たとえば、電流と、電圧と、電池温度とに基づいてＯＣＶ（Open  Circuit  Voltage）を推定し、推定されたＯＣＶと所定のマップとに基づいてバッテリ７０のＳＯＣを推定してもよい。あるいは、ＥＣＵ２００は、たとえば、バッテリ７０の充電電流と放電電流とを積算することによってバッテリ７０のＳＯＣを推定してもよい。
【００３３】
充電装置７８は、車両１の停止中において、充電プラグ３００が車両１に取り付けられることによって外部電源３０２から供給される電力を用いてバッテリ７０を充電する。充電プラグ３００は、充電ケーブル３０４の一方端に接続される。充電ケーブル３０４の他方端は、外部電源３０２に接続される。充電装置７８の正極端子は、ＰＣＵ６０の正極端子とバッテリ７０の正極端子とを接続する電源ラインＰＬに接続される。充電装置７８の負極端子は、ＰＣＵ６０の負極端子とバッテリ７０の負極端子とを接続するアースラインＮＬに接続される。なお、充電プラグ３００等を用いた接触給電によって外部電源３０２から車両１のバッテリ７０に電力が供給される充電方法に加えてまたは代えて、共鳴法や電磁誘導等の非接触給電によって外部電源３０２から車両１のバッテリ７０に電力が供給される充電方法が用いられてもよい。
【００３４】
車輪速センサ１４は、駆動輪７２の回転速度Ｎｗを検出する。車輪速センサ１４は、検出された回転速度Ｎｗを示す信号をＥＣＵ２００に送信する。ＥＣＵ２００は、受信した回転速度Ｎｗに基づいて車速Ｖを算出する。なお、ＥＣＵ２００は、回転速度Ｎｗに代えて第２ＭＧ３０の回転速度に基づいて車速Ｖを算出するようにしてもよい。
【００３５】
アクセルペダル１６０は、運転席に設けられる。アクセルペダル１６０には、ペダルストロークセンサ１６２が設けられる。ペダルストロークセンサ１６２は、アクセルペダル１６０のストローク量（踏み込み量）ＡＰを検出する。ペダルストロークセンサ１６２は、ストローク量ＡＰを示す信号をＥＣＵ２００に送信する。なお、ペダルストロークセンサ１６２に代えてアクセルペダル１６０に対する車両１の乗員の踏力を検出するためのアクセルペダル踏力センサを用いてもよい。
【００３６】
ＥＣＵ２００は、エンジン１０を制御するための制御信号Ｓ１を生成し、その生成した制御信号Ｓ１をエンジン１０へ出力する。また、ＥＣＵ２００は、ＰＣＵ６０を制御するための制御信号Ｓ２を生成し、その生成した制御信号Ｓ２をＰＣＵ６０へ出力する。
【００３７】
ＥＣＵ２００は、エンジン１０およびＰＣＵ６０等を制御することによって車両１が最も効率よく運行できるようにハイブリッドシステム全体、すなわち、バッテリ７０の充放電状態、エンジン１０、第１ＭＧ２０および第２ＭＧ３０の動作状態を制御する制御装置である。
【００３８】
ＥＣＵ２００は、運転席に設けられたアクセルペダル１６０のストローク量ＡＰおよび車速Ｖに対応する車両要求パワーを算出する。ＥＣＵ２００は、算出された車両要求パワーに応じて、第１ＭＧ２０のトルク、第２ＭＧ３０のトルク、または、エンジン１０の出力を制御する。
【００３９】
本実施の形態において、ＥＣＵ２００は、バッテリ７０のＳＯＣの低下を許容して（ＳＯＣを維持しないで）バッテリ７０の電力を消費して走行するモード（以下、ＣＤ（Charge  Depleting）モードと記載する）と、エンジン１０が動作または停止される制御モードであって、バッテリ７０のＳＯＣの低下を抑制して（ＳＯＣを維持する場合を含む）走行するモード（以下、ＣＳ（Charge  Sustaining）モードと記載する）とを含む制御モードのうちのいずれかの制御モードに従って、ＰＣＵ６０およびエンジン１０を制御する。
【００４０】
なお、ＣＤモードとしては、ＳＯＣを維持しないものに特に限定されるものではなく、たとえば、バッテリ７０のＳＯＣを維持して走行することよりＥＶ走行によってバッテリ７０の電力を消費して走行することを優先するモードであってもよい。また、制御モードとしては、ＣＤモードおよびＣＳモード以外の制御モードが含まれてもよい。また、制御モードは、走行時における車両１の制御に限定して用いられるものではなく、走行時および停止時における車両１の制御に用いられる。
【００４１】
ＥＣＵ２００は、たとえば、ＣＤモードとＣＳモードとを自動で切り換える。ＥＣＵ２００は、たとえば、バッテリ７０のＳＯＣが切替しきい値Ａよりも大きい場合には、ＣＤモードに従ってＰＣＵ６０およびエンジン１０を制御し、バッテリ７０のＳＯＣが切替しきい値Ａよりも小さい場合には、ＣＳモードに従ってＰＣＵ６０およびエンジン１０を制御する。なお、制御モードを切り替えるために設けられるスイッチやレバー等の操作部材がユーザにより操作されたことを受けて、ＥＣＵ２００がＣＤモードとＣＳモードとを切り換えてもよい。
【００４２】
ＣＤモードに従った車両１の走行時においては、発電のためのエンジン１０の動作が抑制されるため（すなわち、バッテリ７０のＳＯＣの低下が許容されるため）、バッテリ７０のＳＯＣは維持されず、走行距離の増加に応じてバッテリ７０の電力が消費され、バッテリ７０のＳＯＣは、減少していく。
【００４３】
ＥＣＵ２００は、ＣＤモード時においては、車両要求パワーがエンジン１０の始動しきい値Ｐｒ（１）を超えない限りにおいて、第２ＭＧ３０の出力のみで車両１が走行するようにＰＣＵ６０を制御する。
【００４４】
ＥＣＵ２００は、ＣＤモード時に第２ＭＧ３０の出力のみで車両１が走行している場合に、車両要求パワーがエンジン１０の始動しきい値Ｐｒ（１）を超えた後に（すなわち、車両要求パワーを第２ＭＧ３０の出力のみで満足させることができないと判定された後に）、エンジン１０を始動させて、第２ＭＧ３０の出力とエンジン１０の出力とで車両要求パワーを満足させるようにＰＣＵ６０とエンジン１０とを制御する。すなわち、ＣＤモードは、発電のためのエンジン１０の動作を抑制しつつ、車両要求パワーを満たすためのエンジン１０の動作が可能な制御モードである。なお、車両要求パワーに代えて車両１の実パワーがエンジン１０の始動しきい値を超える場合にエンジン１０を始動させてもよい。また、ＥＣＵ２００は、ＣＤモード時に車両要求パワーがエンジン１０の停止しきい値を下回る場合には、エンジン１０を停止させる。ＣＤモード時の停止しきい値は、始動しきい値Ｐｒ（１）以下の値の予め定められた値である。
【００４５】
ＣＳモードに従った車両１の走行時においては、発電のためのエンジン１０の動作が可能となり、バッテリ７０のＳＯＣを維持したり、あるいは、バッテリ７０のＳＯＣを回復させたりすることによって、バッテリ７０のＳＯＣの低下が抑制される。
【００４６】
ＥＣＵ２００は、たとえば、ＣＳモード時にバッテリ７０のＳＯＣが所定の制御範囲内（たとえば、上述の切替しきい値Ａを含む制御範囲内）になるようにバッテリ７０の充放電制御を実行してもよいし、バッテリ７０のＳＯＣが所定の目標ＳＯＣ（たとえば、上述の切替しきい値Ａ）を維持するようにバッテリ７０の充放電制御を実行してもよい。
【００４７】
バッテリ７０の充電制御としては、たとえば、第２ＭＧ３０の回生制動により生じる回生電力を用いた充電制御と、エンジン１０の動力を用いた第１ＭＧ２０の発電電力を用いた充電制御とを含む。
【００４８】
ＥＣＵ２００は、ＣＳモード時においては、バッテリ７０のＳＯＣが所定の制御範囲や所定の目標ＳＯＣを大きく超えている場合には、車両要求パワーがエンジン１０の始動しきい値Ｐｒ（２）を超えない限りにおいて、第２ＭＧ３０の出力のみで車両が走行するようにＰＣＵ６０を制御する。
【００４９】
ＥＣＵ２００は、上述のようにＣＳモード時に第２ＭＧ３０の出力のみで車両１が走行している場合に、車両要求パワーがエンジン１０の始動しきい値Ｐｒ（２）を超えた後に（すなわち、車両要求パワーを第２ＭＧ３０の出力のみで満足させることができないと判定された後に）、エンジン１０を始動させて、第２ＭＧ３０の出力とエンジン１０の出力とで車両要求パワーを満足させるようにＰＣＵ６０とエンジン１０とを制御する。すなわち、ＣＳモードは、発電のためのエンジン１０の動作も、車両要求パワーを満たすためのエンジン１０の動作も可能な制御モードである。また、ＥＣＵ２００は、ＣＳモード時に車両要求パワーがエンジン１０の停止しきい値を下回る場合には、エンジン１０を停止させる。ＣＳモード時の停止しきい値は、始動しきい値Ｐｒ（２）以下の値の予め定められた値である。
【００５０】
なお、本実施の形態においては、ＣＤモード時の始動しきい値Ｐｒ（１）は、ＣＳモード時の始動しきい値Ｐｒ（２）よりも高いものとし、ＣＤモード時の停止しきい値は、ＣＳモード時の停止しきい値よりも高いものとして説明する。始動しきい値Ｐｒ（１）およびＰｒ（２）は、いずれも、第２ＭＧ３０の出力の上限値以下であって、かつ、バッテリ７０の出力の上限値（Ｗｏｕｔ）以下の値である。このようにすると、ＣＤモード時とＣＳモード時とでエンジン１０の稼動する機会に差異が生じることとなる。
【００５１】
また、ＥＣＵ２００は、ＳＯＣ回復スイッチ１５０からＳＯＣ回復スイッチ操作信号を受けると、エンジン１０を動作させてバッテリ７０のＳＯＣ値を所定の目標まで増加させるＳＯＣ回復制御を実行する。このＳＯＣ回復制御は、ＣＤモードおよびＣＳモードと異なるＣＨＧモード選択時に実行される制御である。ＣＨＧモードは、ＣＳモードと比較して、ＳＯＣ値の制御目標値を満充電しきい値ＣとすることによりＳＯＣ値を満充電しきい値Ｃまで増加させる点で異なる。
【００５２】
ＳＯＣ回復スイッチ１５０は、ＳＯＣ回復制御の実行または停止をユーザが要求するための操作装置である。ＣＨＧモード以外の制御モードの選択中に、ユーザがＳＯＣ回復スイッチ１５０を操作することによって（以下、このような操作をオン操作という）、ＣＨＧモードが選択され、ＳＯＣ回復制御の実行が要求される。そのため、ＣＤモードが選択されることに備えてＳＯＣ値を予め高めておくことができる。これにより、ＣＤモードの選択をある程度の期間継続することが可能となる。一方、ＣＨＧモードの選択中に、ユーザがＳＯＣ回復スイッチ１５０を操作することによって（以下、このような操作をオフ操作という）、ＳＯＣ回復制御の停止が要求される。
【００５３】
以下に、図２を用いてＳＯＣ回復制御実行時（すなわち、ＣＨＧモードの選択時）のＳＯＣの変化の一例を説明する。たとえば、図２に示すように、バッテリ７０が満充電状態（バッテリ７０のＳＯＣが満充電しきい値Ｃに到達している状態）である場合に、車両１がＣＤモードで走行を開始する場合を想定する。なお、満充電しきい値Ｃは、たとえば、外部電源３０２を用いてバッテリ７０を充電する場合に設定されるバッテリ７０のＳＯＣの上限値である。
【００５４】
ＣＤモードで走行する場合には、ＥＶ走行が行なわれる頻度が、ＨＶ走行が行なわれる頻度よりも高くなるなどしてバッテリ７０の電力が消費されるため、時間が経過するとともに、バッテリ７０のＳＯＣが低下していく。
【００５５】
そして、時間Ｔ（０）にて、バッテリ７０のＳＯＣが切替しきい値Ａに到達するまで、ＳＯＣ回復スイッチ１５０が操作されない場合には、図２の中段のグラフの破線に示すように、切替しきい値Ａに到達した時点でＣＤモードからＣＳモードに切り替えられる。そして、切替しきい値Ａを目標値としてバッテリ７０のＳＯＣが制御されるため、図２の上段のグラフの破線に示すように、しきい値Ａを制御中心としてバッテリ７０のＳＯＣが変動する。
【００５６】
一方、たとえば、時間Ｔ（０）にて、ＳＯＣ回復スイッチ１５０に対してオン操作がお行なわれてオン状態になる場合には、制御モードがＣＤモードからＣＨＧモードに切り替えられる。ＣＨＧモードが選択されることにより、バッテリ７０のＳＯＣの上限値である満充電しきい値Ｃを目標値としてバッテリ７０のＳＯＣが制御される。そのため、図２の上段のグラフの実線に示すように、エンジン１０の動力を用いた発電等によって、時間が経過するとともにバッテリ７０のＳＯＣが増加していく。ＳＯＣ回復制御は、少なくとも時間Ｔ（１）にて、バッテリ７０のＳＯＣが満充電しきい値Ｃに到達するまで継続される。
【００５７】
以上のような構成を有するハイブリッド車両において、ＳＯＣ回復制御の実行中に、ユーザが作動中のエンジン１０の動作を制限することを意図して、ＳＯＣ回復スイッチ１５０に対してオフ操作を行なってＳＯＣ回復制御の停止を要求する場合がある。
【００５８】
しかしながら、ＳＯＣ回復制御を停止しても、たとえば、その後にＣＳモードが選択されると、車両１の状態に応じてエンジン１０の動作が継続する場合がある。そのため、ユーザが意図するエンジン１０の動作の制限を実施できない場合がある。
【００５９】
そこで、本実施の形態においては、ＥＣＵ２００が、ＳＯＣ回復制御の実行中にＳＯＣ回復スイッチ１５０を用いてＳＯＣ回復制御の停止が要求される場合には、ＣＤモードを選択する点を特徴とする。
【００６０】
このようにすると、ＳＯＣ回復制御の実行中に、ＳＯＣ回復スイッチ１５０を用いて回復制御の停止が要求される場合に、ＣＳモードよりも車両要求パワーについてのエンジン１０の始動しきい値が高く、かつ、バッテリ７０の電力が消費されるＣＤモードが選択されるので、エンジン１０の動力を用いたバッテリ７０の充電が抑制される。そのため、ＣＳモードが選択される場合よりもエンジン１０の動作を制限することができる。
【００６１】
また、本実施の形態においては、ＥＣＵ２００は、ＳＯＣ回復制御の実行によりバッテリ７０のＳＯＣが満充電しきい値Ｃに到達する場合に、ＣＳモードを選択する。
【００６２】
図３に、本実施の形態に係る車両１に搭載されたＥＣＵ２００の機能ブロック図を示す。ＥＣＵ２００は、ＣＨＧモード判定部２０２と、オフ操作判定部２０４と、完了判定部２０６と、ＣＤ／ＣＳモード選択部２０８とを含む。なお、これらの構成は、プログラム等のソフトウェアにより実現されてもよいし、ハードウェアにより実現されてもよい。
【００６３】
ＣＨＧモード判定部２０２は、ＣＨＧモードの選択中であるか否かを判定する。ＣＨＧモード判定部２０２は、たとえば、ＣＨＧモードが選択されたときにオン状態になるモードフラグの状態に基づいてＣＨＧモードの選択中であるか否かを判定する。ＣＨＧモード判定部２０２は、たとえば、モードフラグがオン状態である場合に、ＣＨＧモードが選択中であると判定する。なお、モードフラグは、たとえば、ＳＯＣ回復スイッチ１５０に対してオン操作が行なわれることによりオン状態となり、オフ操作が行なわれることによりオフ状態になるものとする。
【００６４】
オフ操作判定部２０４は、ＳＯＣ回復スイッチ１５０から受信するＳＯＣ回復スイッチ操作信号に基づいてオフ操作が行なわれたか否かを判定する。オフ操作判定部２０４は、ＣＨＧモードの選択中にＳＯＣ回復スイッチ１５０からＳＯＣ回復スイッチ操作信号を受信する場合に、オフ操作が行なわれたと判定する。
【００６５】
完了判定部２０６は、ＳＯＣ回復制御によるバッテリ７０の充電が完了したか否かを判定する。具体的には、完了判定部２０６は、ＳＯＣ回復制御の実行中にバッテリ７０のＳＯＣが満充電しきい値Ｃに到達する場合に、ＳＯＣ回復制御によるバッテリ７０の充電が完了したと判定する。
【００６６】
ＣＤ／ＣＳモード選択部２０８は、ＣＨＧモード判定部２０２の判定結果と、オフ操作判定部２０４の判定結果と、完了判定部２０６の判定結果とに基づいて制御モードを選択する。具体的には、ＣＤ／ＣＳモード選択部２０８は、ＣＨＧモード判定部２０２によってＣＨＧモードの選択中であると判定された場合において、オフ操作判定部２０４によってＳＯＣ回復スイッチ１５０に対してオフ操作が行なわれたと判定された場合には、ＣＤモードを制御モードとして選択する。一方、ＣＤ／ＣＳモード選択部２０８は、ＣＨＧモードの選択中であると判定された場合において、完了判定部２０６によってＳＯＣ回復制御が完了したと判定されるまで、オフ操作判定部２０４によってＳＯＣ回復スイッチに対してオフ操作が行なわたと判定されなかった場合に、ＣＳモードを制御モードとして選択する。
【００６７】
図４を参照して、本実施の形態に係る車両１に搭載されたＥＣＵ２００で実行される制御処理について説明する。
【００６８】
ステップ（以下、ステップをＳと記載する）１００にて、ＥＣＵ２００は、ＣＨＧモードの選択中であるか否かを判定する。ＣＨＧモードの選択中であると判定される場合（Ｓ１００にてＹＥＳ）、処理はＳ１０２に移される。もしそうでない場合（Ｓ１００にてＮＯ）、この処理は終了する。
【００６９】
Ｓ１０２にて、ＥＣＵ２００は、ＳＯＣ回復スイッチ１５０に対してオフ操作が行なわれたか否かを判定する。ＳＯＣ回復スイッチ１５０に対してオフ操作が行なわれたと判定される場合（Ｓ１０２にてＹＥＳ）、処理はＳ１０４に移される。もしそうでない場合（Ｓ１０２にてＮＯ）、処理はＳ１０６に移される。
【００７０】
Ｓ１０４にて、ＥＣＵ２００は、ＣＤモードを制御モードとして選択する。Ｓ１０６にて、ＥＣＵ２００は、ＳＯＣ回復制御によるバッテリ７０の充電が完了したか否かを判定する。ＳＯＣ回復制御によるバッテリ７０の充電が完了したと判定される場合（Ｓ１０６にてＹＥＳ）、処理はＳ１０８に移される。もしそうでない場合（Ｓ１０６にてＮＯ）、この処理は終了する。Ｓ１０８にて、ＥＣＵ２００は、ＣＳモードを制御モードとして選択する。
【００７１】
以上のような構造およびフローチャートに基づく本実施の形態に係る車両１に搭載されたＥＣＵ２００の動作について図５を用いて説明する。
【００７２】
たとえば、図５に示すように、ＣＨＧモードが選択された状態で車両１が運転されている場合を想定する。ＳＯＣ回復制御が実行されているため、エンジン１０が作動状態（オン状態）であるものとする。
【００７３】
時間Ｔ（２）になるまでは、ＣＨＧモードが選択されたまま（Ｓ１００にてＹＥＳ）、ＳＯＣ回復スイッチ１５０に対してオフ操作は行なわれないため（Ｓ１０２にてＮＯ）、ＣＨＧモードが維持される。
【００７４】
時間Ｔ（２）にて、ＣＨＧモードの選択中に（Ｓ１００にてＹＥＳ）、ＳＯＣ回復スイッチ１５０に対してオフ操作が行なわれた場合（Ｓ１０２にてＹＥＳ）、図５の上段のグラフの実線に示すように、制御モードとしてＣＤモードが選択される（Ｓ１０４）。ＣＤモードが選択されることにより、ＣＤモードに対応した、車両要求パワーについてのエンジン１０の始動しきい値によってエンジン１０の動作が決定される。その結果、図５の中段のグラフの実線に示すように、時間Ｔ（２）にて、エンジン１０は停止状態となる。
【００７５】
ＳＯＣ回復制御が停止されることにより、バッテリ７０の充電が停止される。また、ＣＤモードが選択されたことによりバッテリ７０の電力が消費されるため、図５の下段のグラフの実線に示すように、時間Ｔ（２）以降において、ＳＯＣは、時間の経過とともに低下していくこととなる。
【００７６】
一方、時間Ｔ（２）にて、ＣＨＧモードの選択中に（Ｓ１００にてＹＥＳ）、ＳＯＣ回復スイッチ１５０に対してオフ操作が行なわれない場合（Ｓ１０２にてＮＯ）、時間Ｔ（２）以降もＣＨＧモードの選択が維持される。そのため、図５の下段のグラフの破線に示すように、バッテリ７０のＳＯＣは、ＳＯＣ回復制御によって時間の経過とともに増加していく。
【００７７】
時間Ｔ（３）にて、ＳＯＣ回復制御によるバッテリ７０の充電が完了する場合（Ｓ１０６にてＹＥＳ）、図５の上段のグラフの破線に示すように、制御モードとしてＣＳモードが選択される（Ｓ１０８）。ＣＳモードが選択されることによって、バッテリ７０のＳＯＣは、時間Ｔ（３）以降維持され、ＣＳモードに対応した、車両要求パワーについてのエンジン１０の始動しきい値によってエンジン１０の動作が決定される。その結果、図５の中段のグラフの破線に示すように、時間Ｔ（２）以降、エンジン１０の動作状態は継続する。
【００７８】
以上のようにして、本実施の形態に係る車両１によると、ＳＯＣ回復制御の実行中に、ＳＯＣ回復スイッチ１５０を用いてＳＯＣ回復制御の停止が要求される場合に、バッテリ７０の電力が消費されるＣＤモードが選択されるので、エンジン１０の動力を用いたバッテリ７０の充電が抑制される。そのため、ＣＳモードが選択される場合よりもエンジン１０の動作を制限（たとえば、エンジン１０の動作を停止させ、停止状態を維持）することができる。すなわち、ユーザの意図に沿ってエンジン１０の動作を制限することができる。したがって、エンジンを用いた蓄電装置の充電の停止が要求される場合にユーザの意図に沿って作動中のエンジンの動作を制限するハイブリッド車両を提供することができる。
【００７９】
さらに、ＳＯＣ回復制御の実行中にバッテリ７０のＳＯＣが満充電しきい値Ｃに到達する場合に、ＣＳモードが選択されるので、バッテリ７０のＳＯＣを上限値付近で維持することができる。そのため、ユーザが希望するタイミングでバッテリ７０の電力を、車両１の走行やバッテリ７０に接続された車室内あるいは車外の電気機器の作動等に利用することが可能となる。
【００８０】
以下に変形例について説明する。本実施の形態においては、ＳＯＣ回復制御の実行により、バッテリ７０のＳＯＣが満充電しきい値Ｃに到達した場合には、ＣＳモードが選択されるものとして説明したが、特にこれに限定されるものではない。たとえば、ＥＣＵ２００は、ＳＯＣ回復制御の実行により、バッテリ７０のＳＯＣが満充電しきい値Ｃに到達した後に、ＳＯＣ回復スイッチ１５０に対してオフ操作が行なわれた場合に、ＣＳモードを選択してもよい。
【００８１】
本実施の形態においては、ＳＯＣ回復制御の実行により、バッテリ７０のＳＯＣが満充電しきい値Ｃに到達した場合には、ＣＳモードが選択されるものとして説明したが、特にこれに限定されるものではない。たとえば、ＥＣＵ２００は、ＳＯＣ回復制御の実行により、バッテリ７０のＳＯＣが満充電しきい値Ｃに到達した場合であって、かつ、車両に異常がある場合には、異常箇所に応じてＣＳモードとＣＤモードとのうちのいずれかを選択してもよい。
【００８２】
たとえば、ＥＣＵ２００は、たとえば、ＳＯＣ回復制御の実行により、バッテリ７０のＳＯＣが満充電しきい値Ｃに到達した場合であって、かつ、バッテリ７０の放電ができない異常が発生した場合（たとえば、第２ＭＧ３０やバッテリ７０の故障）、ＣＳモードを選択してもよい。あるいは、ＥＣＵ２００は、たとえば、ＳＯＣ回復制御の実行により、バッテリ７０のＳＯＣが満充電しきい値Ｃに到達した場合であって、かつ、バッテリ７０の充電ができない異常が発生した場合（たとえば、第１ＭＧ２０やエンジン１０の故障）、電力の消費を優先してＣＤモードを選択してもよい。このようにすると、車両１に異常が発生した場合に修理工場等までの自走が可能となるため、異常箇所に応じて適切な制御モードを選択することができる。
【００８３】
本実施の形態においては、ＳＯＣ回復スイッチ１５０は、ハードウェアであるものとして説明したが、たとえば、ディスプレイの前面にタッチパネルが配置されており、ディスプレイに表示されたＳＯＣ回復スイッチ１５０に対応する画像と重複するタッチパネル上の所定領域に対してタッチ操作が行なわれることによりＳＯＣ回復制御の実行が要求されるようにしてもよいし、あるいは、音声入力手段等を用いてＳＯＣ回復制御の実行が要求されるようにしてもよい。
【００８４】
本実施の形態において、ＳＯＣ回復制御は、ＣＨＧモードの選択時に実行されるものとして説明したが、たとえば、ＣＳモード中における、通常時とＳＯＣの目標値が異なる制御態様の一つとして実行されるものとしてもよい。
【００８５】
本実施の形態において、ＳＯＣ回復制御の実行中に、ＳＯＣ回復スイッチ１５０を用いてＳＯＣ回復制御の停止が要求される場合に、ＣＤモードが選択されるものとして説明したが、たとえば、ＣＤモードが選択されるとともに、所定時間が経過するまでは、エンジン１０の始動を禁止するようにしてもよい。このようにすると、ＳＯＣ回復制御の実行中にＳＯＣ回復スイッチ１５０に対してオフ操作が行なわれた場合に、エンジン１０の動作を確実に制限することができる。なお、上記した変形例は、その全部または一部を組み合わせて実施してもよい。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
１  ハイブリッド車両、８  トランスミッション、１０  エンジン、１４  車輪速センサ、１６  出力軸、１７  駆動軸、２０，３０  ＭＧ、４０  動力分割装置、５８  減速機、６０  ＰＣＵ、７０  バッテリ、７２  駆動輪、７８  充電装置、１１２  気筒、１５０  回復スイッチ、１５２  電流センサ、１５４  電圧センサ、１５６  電池温度センサ、１６０  アクセルペダル、１６２  ペダルストロークセンサ、２００  ＥＣＵ、２０２  ＣＨＧモード判定部、２０４  オフ操作判定部、２０６  完了判定部、２０８  ＣＤ／ＣＳモード選択部、３００  充電プラグ、３０２  外部電源、３０４  充電ケーブル。
【図１】
2015231796.tif 000003
【図２】
2015231796.tif 000004
【図３】
2015231796.tif 000005
【図４】
2015231796.tif 000006
【図５】
2015231796.tif 000007